(57)【要約】【課題】装着が容易であるとともに作業時に外れにくく、首周りのフィット感に優れた首冷却バンドを提案することを目的とする。【解決手段】首に巻き付けて使用する帯状の首冷却バンドであって、保冷体を収納して首を冷却する保冷体収納部と、保冷体収納部の左右両端に設けられた互いに着脱自在の止着部と、を備え、保冷体収納部の幅は長手方向全体に渡って略同一に構成され、保冷体収納部の上側縁および下側縁は所定の曲率をもって略円弧状に形成されるとともに、上側縁の曲率は下側縁の曲率よりも大きく構成された首冷却バンドとした。【選択図】図４
0003181206.tif 000002
【実用新案登録請求の範囲】
【請求項１】
首に巻き付けて使用する帯状の首冷却バンドであって、
保冷体を収納して前記首を冷却する保冷体収納部と、
前記保冷体収納部の左右両端に設けられた互いに着脱自在の止着部と、を備え、
前記保冷体収納部の幅は長手方向全体に渡って略同一に構成され、
前記保冷体収納部の上側縁および下側縁は所定の曲率をもって略円弧状に形成されるとともに、該上側縁の曲率は該下側縁の曲率よりも大きく構成された首冷却バンド。
【請求項２】
前記保冷体収納部は複数のポケットで構成された請求項１に記載の首冷却バンド。
【請求項３】
前記止着部の一方には雄型面ファスナーが設けられるとともに前記止着部の他方には雌型面ファスナーが設けられ、該雄型面ファスナーおよび該雌型面ファスナーの少なくとも一方は左右方向に長手状とした請求項１または２に記載の首冷却バンド。
【請求項４】
前記保冷体収納部の上側縁には該保冷体収納部を開閉自在とするジッパーが設けられた請求項１〜３のいずれか１項に記載の首冷却バンド。
【考案の詳細な説明】
【技術分野】
【０００１】
本考案は首に巻き付けて使用する帯状の首冷却バンドに関する。
【背景技術】
【０００２】
近年、地球温暖化が進行するにつれ、自然環境や人間社会に対する様々な悪影響が報告されている。中でも夏場の気温上昇や猛暑日・夏日の増加は日々の一般的な生活においても身近に感じられる地球温暖化の影響であり、夏場の熱中症患者の増加は大きな社会問題となっている。
【０００３】
一方で電力不足等による節電意識も高まっており、エア・コンディショナーの使用を控える人々の増加も熱中症患者の増加に拍車を掛けているものと考えられる。
【０００４】
このような事情により、電力を必要とせずに体温の上昇を抑えることを可能とする様々な製品が開発されている。例えば特許文献１では、吸水性部材が封入された帯状の冷却用首巻きであって、衣類に脱着可能に取り付けるための取付手段を備えた冷却用首巻きが提案されている。この特許文献１の冷却用首巻きは、スカーフとして首周りに巻き付けたり、着用する衣類の首元の内側に取り付けたりして使用することができる。
【先行技術文献】
【特許文献】
【０００５】
【特許文献１】実用新案登録第３１７１０２６号公報
【考案の概要】
【考案が解決しようとする課題】
【０００６】
しかしながら特許文献１の冷却用首巻きは、次の様な問題がある。スカーフとして首周りに巻き付けて使用するタイプの冷却用首巻きは、単に首に掛けた状態で使用されるため外れ易く、工事現場等で作業を行う作業者が好適に利用できるものではない。一方、着用する衣類の首元の内側に取り付けて使用するタイプの冷却用首巻きは、衣類自体が首元の内側に別途衣服側取付部（衣類側面ファスナー）を備える必要があるため、どのような衣類に対しても利用できるものではなく、また、装着の際に手間がかかってしまう。また、いずれのタイプの冷却用首巻きも首周り全体にフィットするものではないため、冷却効果が余り高くない。更に、特許文献１の冷却用首巻きは、吸水性材料に染み込んだ水が蒸発する際に必要となる気化熱を利用して体温を奪うよう構成されたものであるため、やはり冷却効果はそれほど高くない。
【０００７】
そこで本考案は、装着が容易であるとともに作業時に外れにくく、首周りのフィット感に優れた首冷却バンドを提案することを目的とする。
【課題を解決するための手段】
【０００８】
（１）本考案の首冷却バンドは、首に巻き付けて使用する帯状の首冷却バンドであって、保冷体を収納して首を冷却する保冷体収納部と、保冷体収納部の左右両端に設けられた互いに着脱自在の止着部と、を備え、保冷体収納部の幅は長手方向全体に渡って略同一に構成され、保冷体収納部の上側縁および下側縁は所定の曲率をもって略円弧状に形成されるとともに、上側縁の曲率は下側縁の曲率よりも大きく構成されている。
【０００９】
（２）また、上記（１）の首冷却バンドにおて、保冷体収納部は複数のポケットで構成されている。
【００１０】
（３）また、上記（１）または（２）の首冷却バンドにおて、止着部の一方には雄型面ファスナーが設けられるとともに止着部の他方には雌型面ファスナーが設けられ、雄型面ファスナーおよび雌型面ファスナーの少なくとも一方は左右方向に長手状とした。
【００１１】
（４）また、上記（１）〜（３）のいずれかの首冷却バンドにおて、保冷体収納部の上側縁には保冷体収納部を開閉自在とするジッパーが設けられている。
【考案の効果】
【００１２】
請求項１の考案によれば、装着が容易であるとともに作業時に外れにくく、首周りのフィット感に優れた首冷却バンドを提供することができる。
【図面の簡単な説明】
【００１３】
【図１】本考案による首冷却バンドの正面図である。
【図２】本考案による首冷却バンドの別実施形態の正面図である。
【図３】本考案による首冷却バンドの別実施形態の説明図である。
【図４】本考案による首冷却バンドの使用状態を示した図である。
【考案を実施するための形態】
【００１４】
以下、本考案の実施形態について、図面に基づいて詳細に説明する。なお、本明細書における上下方向は、実際に首に装着された状態における首冷却バンドの上下方向と一致する。
【００１５】
図１は本考案の首冷却バンド１の正面図を示したものである。首冷却バンド１は帯状であり、使用者の首に巻き付けて使用するものである。首冷却バンド１は、保冷体ｃを収納して首を冷却する保冷体収納部１０と、保冷体収納部１０の左右両端に設けられた互いに着脱自在の止着部１１ａ，１１ｂと、を備えている。
【００１６】
保冷体収納部１０の幅は長手方向全体に渡って略同一に構成されている。また、保冷体収納部１０の上側縁１０ａおよび下側縁１０ｂは所定の曲率をもって略円弧状に形成されるとともに、上側縁１０ａの曲率は下側縁１０ｂの曲率よりも大きく構成されている。
【００１７】
保冷体収納部１０を形成する材料は柔軟性のある素材であれば特に限定されないが、例えば、木綿、麻、リンネルなどの植物繊維、羊毛、絹、カシミヤなどの動物繊維、再生セルロースなどの再生繊維、ポリエステル、ナイロンなどの合成繊維、不織布などを用いることができる。
【００１８】
また、保冷体収納部１０を形成する材料として、長手方向に伸縮自在の素材を用いても良い。保冷体収納部１０を長手方向に伸縮自在の素材で形成することにより、使用者の首周りへのフィット感を向上させることができる。
【００１９】
止着部１１ａ，１１ｂを形成する材料は柔軟性のある素材であれば特に限定されないが、例えば、木綿、麻、リンネルなどの植物繊維、羊毛、絹、カシミヤなどの動物繊維、再生セルロースなどの再生繊維、ポリエステル、ナイロンなどの合成繊維、不織布などを用いることができる。
【００２０】
また、止着部１１ａ，１１ｂを形成する材料として、ゴム状の素材を用いても良い。止着部１１ａ，１１ｂをゴム状の素材で形成することにより、装着時において首冷却バンド１の長手方向の長さが好適に調整され、使用者の首周りへのフィット感を向上させることができる。
【００２１】
以上のような構成により、止着部１１ａと止着部１１ｂとを互いに止着して首冷却バンド１を略円筒状とした際、上側縁１０ａで形成される円の直径よりも下側縁１０ｂで形成される円の直径の方が大きくなるため、図４に示すように首冷却バンド１は下方拡開状となって使用者の首周りの形状に好適にフィットする。その結果、保冷体ｃが収納された保冷体収納部１０が使用者の首周りに万遍なく接触するため、高い冷却効果を得ることができる。
【００２２】
保冷体収納部１０の上側縁１０ａの長さは、首上部の最も細い位置における首周りの長さと同程度とすれば良い。一方、保冷体収納部１０の下側縁１０ｂの長さは、首下部（首の付け根の位置）における首周りの長さと同程度とすれば良い。上側縁１０ａおよび下側縁１０ｂの長さをこのような長さとすることにより、止着部１１ａと止着部１１ｂとを互いに止着して首冷却バンド１を略円筒状とした際、首冷却バンド１は下方拡開状となるとともに首周りの形状に好適にフィットし、首周りの全周をカバーできる効率の良い首冷却バンド１とすることができる。
【００２３】
保冷体収納部１０の幅は８０〜１００ｍｍ程度とするのが良く、首周り全体をカバーして効果的に首を冷却することが可能な首冷却バンド１とすることができる。
【００２４】
保冷体収納部１０の上側縁１０ａの曲率半径は３８０〜４１０ｍｍ程度とするとともに、保冷体収納部１０の下側縁１０ｂの曲率半径は４７０〜５００ｍｍ程度とするのが良い。上側縁１０ａおよび下側縁１０ｂがこのような曲率（曲率半径の逆数）を有する保冷体収納部１０とすることにより、止着部１１ａと止着部１１ｂとを互いに止着して首冷却バンド１を略円筒状とした際、保冷体収納部１０は下方拡開状となって首周りの形状に好適にフィットするため、効果的に首を冷却することが可能な首冷却バンド１とすることができる。
【００２５】
保冷体収納部１０は上側縁１０ａが開口した袋状となっており、内部に保冷体ｃを収納できるよう構成されている。
【００２６】
保冷体ｃは密封された袋状であり、内部には保冷剤（蓄冷剤）が封入されている。保冷剤として用いる材料は、冷凍庫等で冷却することによって蓄冷可能な素材であれば特に限定されない。例えば、水を吸収させた高吸水性ポリマー等を保冷剤として用いることができる。
【００２７】
保冷体ｃは、アルミニウム層および多孔質シート層からなる断熱シートで被覆されたものを用いても良い。ただし、保冷体ｃの被覆に用いるこのような断熱シートは熱の移動を完全に遮断するものではなく、保冷剤と体表面との間である程度の熱の移動が可能な素材を用いる。このような断熱シートで被覆された保冷体ｃを用いることにより、保冷剤の冷却効果の持続時間を長くすることができるとともに、首周りを過度に冷却してしまうことを防ぐことができる。
【００２８】
保冷体ｃが冷却時においても首周りに沿って曲げられる程度の柔軟性を有する場合は、図１に示すように保冷体収納部１０の内部形状と略同一とした長手状の保冷体ｃを用いることができる。
【００２９】
一方、保冷持続時間が長い等、冷却性能の高い保冷体ｃは、一般的には冷却時に柔軟性をほとんど有さない場合が多い。そこで、図２，３に示すように、保冷体収納部１０に複数の仕切部１２を所定の間隔で設けることにより、保冷体収納部１０を複数のポケット１３で構成しても良い。柔軟性の低い保冷体ｃの場合は、保冷体ｃをポケット１３に収納可能な大きさとし、各ポケット１３に該保冷体ｃを一つずつ収納して使用すれば良い。また、各ポケット１３は仕切部１２で仕切られているため、使用時に激しい作業を行った場合においても各ポケット１３内に収納された保冷体ｃがずれることを防止できる。
【００３０】
保冷体収納部１０を構成するポケット１３を多くする程、首冷却バンド１を首に巻き付けた際に違和感なく首周りにフィットさせることができる。一方、保冷体収納部１０を構成するポケット１３を少なくする程、使用時においてポケット１３内へ保冷体ｃを収納する際の手間が少なくなる。従って、保冷体収納部１０を構成するポケット１３の数は４つ程度とするのが良い。ポケット１３の数を４つ程度とすることにより、冷却時に柔軟性をほとんど有さない保冷体ｃを用いた場合であっても無理なく首冷却バンド１を首周りに巻き付けることができる。
【００３１】
止着部１１ａ，１１ｂの一方には雄型面ファスナー１４ａが設けられるとともに止着部１１ａ，１１ｂの他方には雌型面ファスナー１４ｂが設けられているため、使用者は首冷却バンド１を首周りに巻き付けて容易に装着することができる。雄型面ファスナー１４ａおよび雌型面ファスナー１４ｂは互いに反対側の面に設けられており、首冷却バンド１を首に巻き付けた際に雄型面ファスナー１４ａおよび雌型面ファスナー１４ｂが互いに相対して止着部１１ａ，１１ｂを止着することができる。そして、雄型面ファスナー１４ａおよび雌型面ファスナー１４ｂの少なくとも一方は左右方向に長手状とし、首周りの長さの個人差に対応できるよう構成されている。
【００３２】
止着部１１ａ，１１ｂに設ける止着手段は面ファスナーとすることに限られず、使用者が容易に操作可能な着脱自在の構成であれば良く、例えばフックやボタンなどで構成しても良い。
【００３３】
保冷体収納部１０の上側縁１０ａには開口部を開閉自在とするジッパー１５が設けられている。このように保冷体収納部１０の上側縁１０ａにジッパー１５を設けることにより、使用者は保冷体収納部１０へ容易に保冷体ｃを出し入れすることができる。また、使用時にジッパー１５を閉じておけば、激しい作業を行った際においても保冷体収納部１０から保冷体ｃが飛び出すことを確実に防止できる。
【００３４】
以上のような構成により、本考案による首冷却バンド１は、装着が容易であるとともに作業時に外れにくく、首周りのフィット感に優れたものとすることができる。
【００３５】
なお、上述した実施形態の説明は本考案の一例であり、本考案は上述の実施形態に限定されることはない。従って、上述した実施形態以外であっても、本考案に係る技術的思想を逸脱しない範囲であれば、設計等に応じて種々の変更が可能であることは言うまでもない。
【符号の説明】
【００３６】
１  首冷却バンド
１０  保冷体収納部
１０ａ  上側縁
１０ｂ  下側縁
１１ａ，１１ｂ  止着部
１２  仕切部
１３  ポケット
１４ａ  雄型面ファスナー
１４ｂ  雌型面ファスナー
１５  ジッパー
ｃ  保冷体
【図１】
0003181206.tif 000003
【図２】
0003181206.tif 000004
【図３】
0003181206.tif 000005
【図４】
0003181206.tif 000006